(57)【要約】  【課題】  電源電圧の利用可能範囲を大きくした回路規模の小さいＬＥＤ駆動用電源回路を提供することを目的とする。  【解決手段】  ＬＥＤ３、ＬＥＤ４に流す電流を所定の値に制御する電流制御部５と、電流制御部５に電流値を指示する電流設定部６と、電流設定部６で設定された電流値の電流がＬＥＤ３、ＬＥＤ４に対して流すことができるか否かの判別を行う判別部７とを備える。判別部７が、の少なくとも一つのＬＥＤに対して電流設定６部によって設定された値の電流を流すことができないと判断を行うと、電流設定部６に対してその旨の信号を出力し、当該信号を受信した電流設定部６が、設定電流値をＬＥＤすべてに対して流すことのできる電流値に変更する指示を電流制御部に対して行う。  【選択図】      図１
2007059205.tif 000002
【特許請求の範囲】
【請求項１】
並列に接続された複数個のＬＥＤと、
前記複数個のＬＥＤそれぞれに電圧を供給する電源供給部と、
前記複数個のＬＥＤに与える電流を所定の電流値に制御する第１の電流制御部と、
前記第１の電流制御部に対して前記複数個のＬＥＤに流す電流の値の設定を行う第１の電流設定部と、
前記第１の電流設定部によって設定された電流値の電流を前記複数個のＬＥＤに対して流すことが可能か否かの判別を行う判別部と、を備え、
前記判別部が、
前記複数個のＬＥＤのうちの少なくとも一つのＬＥＤに対して前記第１の電流設定部によって設定された値の電流を流すことができないと判断を行うと、前記第１の電流設定部に対してその旨の信号を出力し、当該信号を受信した前記第１の電流設定部が、設定電流値を前記複数個のＬＥＤすべてに対して流すことのできる電流値に変更する指示を電流制御部に対して行うことを特徴とする電源回路。
【請求項２】
前記複数個のＬＥＤと並列に接続されるとともに、前記第１の電流制御部によって流れる電流が制御されない少なくとも一つ以上のＬＥＤで構成されるサブＬＥＤと、
前記サブＬＥＤに与える電流を所定の電流値に制御する第２の電流制御部と、
前記第２の電流制御部に対して前記サブＬＥＤに流す電流の値を設定する第２の電流設定部と、を備え、
前記サブＬＥＤが、前記判別部における前記複数個のＬＥＤに対して前記第１の電流設定部によって設定された電流値の電流を流すことが可能か否かの判別結果にかかわらず、前記第２の電流制御部によって前記第２の電流設定部で設定された電流値の電流が与えられる制御が行われることを特徴とする請求項１に記載の電源回路。
【請求項３】
前記判別部が、前記複数個のＬＥＤに流れる電流値と前記第１の電流設定部で設定されている電流値との比較を行い、少なくとも一つのＬＥＤに流れる電流値が前記第１の電流設定部で設定されている電流値を下回った時点で、設定された電流値の電流を前記複数個のＬＥＤに対して流すことができないと判断することを特徴とする請求項１または請求項２に記載の電源回路。
【請求項４】
前記第１の電流制御部によって制御される前記複数個のＬＥＤに対して流す電流の値の制御可能範囲が、前記電源供給部からの出力電圧値に応じて決定され、
前記判別部が、前記電源供給部の出力電圧値を確認し、前記第１の電流設定部で設定された電流値が前記第１の電流制御部の制御可能範囲内に属しているか否かの判別を行うことで、前記第１の電流設定部によって設定された電流値の電流を前記複数個のＬＥＤに対して流すことが可能か否かの判別を行うことを特徴とする請求項１または請求項２に記載の電源回路。
【請求項５】
前記第１の電流制御部が、各列ごとに、並列接続に構成される前記複数個のＬＥＤの一端に第１電極が接続されるトランジスタを含むカレントミラー回路で構成されており、
前記判別部が、
各トランジスタの第１電極と第２電極との間の電圧と、当該トランジスタに接続されているＬＥＤに対して制御可能な最大電流値との関係を記憶しており、前記第１の電流設定部より設定電流値が与えられると、トランジスタの第１電極と第２電極との間の電圧を測定するとともに、当該電圧に応じた制御可能な最大電流値を上回っているか否かを各列のトランジスタに関して確認することで、前記複数個のＬＥＤに対して流すことが可能か否かの判別を行うことを特徴とする請求項１または請求項２に記載の電源回路
【請求項６】
前記判別部が、
各トランジスタの第１電極と第２電極との間の電圧と、当該トランジスタに接続されているＬＥＤに対して制御可能な最大電流値との関係を記憶しており、前記第１の電流設定部より電流値が与えられると、トランジスタの第１電極と第２電極との間の電圧を測定するとともに、当該電圧に応じた制御可能な最大電流値を上回った時点で、前記第１の電流設定部に対して設定電流値の変更指示を行うことを特徴とする請求項５に記載の電源回路。
【請求項７】
前記判別部が、
各トランジスタの第１電極と第２電極との間の電圧と、当該トランジスタに接続されているＬＥＤに対して制御可能な最大電流値との関係を記憶しており、前記第１の電流設定部より電流値が与えられると、各トランジスタの第１電極と第２電極との間の電圧を測定するとともに、与えられた電流値が当該測定された電圧に応じた制御可能な最大電流値から所定の値を減じて得られる最大電流近傍値を上回った時点で、前記第１の電流設定部に対して設定電流値の変更指示を行うことを特徴とする請求項５に記載の電源回路。
【請求項８】
前記第１の電流制御部が、各列ごとに、並列接続に構成される前記複数個のＬＥＤの一端に第１電極が接続されるトランジスタを含むカレントミラー回路で構成されており、
前記判別部が、
前記電源供給部の出力電圧と、当該トランジスタに接続されているＬＥＤに対して制御可能な最大電流値との関係を記憶しており、前記第１の電流設定部より電流値が与えられると、前記電源供給部の出力電圧を測定するとともに、与えられた電流値が当該電圧に応じた制御可能な最大電流値を上回っているか否かを各列のトランジスタに関して確認することで、前記複数個のＬＥＤに対して流すことが可能か否かの判別を行うことを特徴とする請求項１または請求項２に記載の電源回路。
【請求項９】
前記第１の電流制御部が、各列ごとに、並列接続に構成される前記複数個のＬＥＤの一端に第１電極が接続されるトランジスタを含むカレントミラー回路で構成されており、
前記判別部が、
前記電源供給部の出力電圧と、当該トランジスタに接続されているＬＥＤに対して制御可能な最大電流値との関係を記憶しており、前記第１の電流設定部より電流値が与えられると、前記電源供給部の出力電圧を測定するとともに、与えられた電流値が当該電圧に応じた制御可能な最大電流値を上回った時点で、前記第１の電流設定部に対して設定電流値の変更指示を行うことを特徴とする請求項８に記載の電源回路。
【請求項１０】
前記第１の電流制御部が、各列ごとに、並列接続に構成される前記複数個のＬＥＤの一端に第１電極が接続されるトランジスタを含むカレントミラー回路で構成されており、
前記判別部が、
前記電源供給部の出力電圧と、当該トランジスタに接続されているＬＥＤに対して制御可能な最大電流値との関係を記憶しており、前記第１の電流設定部より電流値が与えられると、前記電源供給部の出力電圧を測定するとともに、与えられた電流値が当該測定された電圧に応じた制御可能な最大電流値から所定の値を減じて得られる最大電流近傍値を上回った時点で、前記第１の電流設定部に対して設定電流値の変更指示を行うことを特徴とする請求項８に記載の電源回路。
【請求項１１】
前記判別部が、
少なくとも一つのＬＥＤに対して前記第１の電流設定部によって設定された値の電流を流すことができないと判断すると、設定された値の電流を流すことができないと判断されたＬＥＤの制御可能な最大電流値に設定電流値を変更する指示を前記第１の電流設定部に与えることを特徴とする請求項５〜請求項１０のいずれかに記載の電源回路。
【請求項１２】
前記判別部が、
少なくとも一つのＬＥＤに対して前記第１の電流設定部によって設定された値の電流を流すことができないと判断すると、現在の設定電流値に所定の値を乗じた新たな設定電流値を前記電流制御部に与えることを特徴とする請求項１〜請求項１１のいずれかに記載の電源回路。
【請求項１３】
前記複数個のＬＥＤを複数のグループに分けるとともに、同一グループに属するＬＥＤに対しては同一電流を流すとともに、異なるグループ間では所定の電流比を維持するように第１の電流制御部が制御を行うことを特徴とする請求項１〜請求項１２のいずれかに記載の電源回路。
【請求項１４】
一つ以上のＬＥＤを備える電子機器であって、
前記ＬＥＤを駆動するための駆動用電源回路として請求項１〜請求項１３のいずれかの電源回路を備えることを特徴とする電子機器。
【発明の詳細な説明】
【技術分野】
【０００１】
本発明は、電源回路に関し、特にＬＥＤを安定的に駆動するために設けられる駆動用電源回路に関するものである。
【背景技術】
【０００２】
近年、カラー液晶搭載の携帯電話が普及してきている。そして、この液晶ディスプレイのバックライトとして白色ＬＥＤが利用されており、このＬＥＤを駆動するための電源回路が従来より提供されている（例えば特許文献１参照）。
【０００３】
図８は、従来技術を用いた上記電源回路を備える液晶ディスプレイの一部構成を示したものである。液晶ディスプレイ９００は、直流電圧を供給する電源供給部９０１と、電源供給部９０１から出力される電圧を昇圧する昇圧回路９０２と、電流が流れると流れる電流量に応じた強度で所定色の光を発するＬＥＤ９０３、９０４と、ＬＥＤ９０３およびＬＥＤ９０４それぞれのアノード・カソード間に流れる電流の電流値を制御する電流制御部９０５と、ＬＥＤ９０３およびＬＥＤ９０４に流れる電流の電流値を設定して電流制御部９０５に指示を与える電流設定部９０６とで構成される。なお、電流制御部９０５が上記電源回路に相当する。
【０００４】
なお、図８ではＬＥＤを２個として表記しているが、この数は２に限られるものではなく３個以上の複数個としても同様である。
【０００５】
図８において、ＬＥＤ９０３およびＬＥＤ９０４それぞれのアノード・カソード間に流れる電流量は、電流設定部９０６で予め設定された電流値となるように電流制御部９０５によって制御される。電流制御部９０５は、電流値を変更できる定電流源と、定電流源から出力される電流値に依存して流れる電流値が指定されるトランジスタとで構成されるとしてもよい。このとき、第１のトランジスタがＬＥＤ９０３のカソードに接続され、第２のトランジスタがＬＥＤ９０４のカソードに接続される。
【０００６】
図９は、上記電流制御部９０５を詳細に示した一例である。ＭＯＳトランジスタＱ９１１のドレイン電極には抵抗Ｒ９１１を介して直流電圧Ｖccが印加されており、ドレイン電極とゲート電極とが接続されており、ソース電極は接地されている。
【０００７】
また、ＭＯＳトランジスタＱ９１２のドレイン電極は、ＬＥＤ９０３のカソードに接続され、ゲート電極がＭＯＳトランジスタＱ９１１のゲート電極と接続され、ソース電極が接地されている。
【０００８】
同様に、ＭＯＳトランジスタＱ９１３のドレイン電極は、ＬＥＤ９０４のカソードに接続され、ゲート電極がＭＯＳトランジスタＱ９１１、Ｑ９１２のゲート電極と接続され、ソース電極が接地されている。
【０００９】
このように構成されるとき、抵抗Ｒ９１１の大きさを変化させることで、ＭＯＳトランジスタＱ９１１のドレイン電流Ｉd911が制御できる一方、ＭＯＳトランジスタＱ９１１と、ＭＯＳトランジスタＱ９１２及びＭＯＳトランジスタＱ９１３とがそれぞれカレントミラーを形成しているため、直流電圧Ｖccが十分大きい値の場合には、それぞれのドレイン電流Ｉd912およびＩd913も、Ｉd911と同一の電流が流れる構成である。
【００１０】
図８に示すように、電源回路９００には昇圧回路９０２が設けられており、これによってＬＥＤ９０３およびＬＥＤ９０４の各アノード電極には十分大きな電圧が印加されることになり、ＬＥＤ９０３およびＬＥＤ９０４の端子間電圧による電圧降下を考慮しても、ＭＯＳトランジスタＱ９１２、Ｑ９１３のドレイン・ソース間電圧は、Ｉd911と同一のドレイン電流を流すのに必要な電圧を満足する値を実現することができる。
【特許文献１】特開２００４−１６６３４２号公報
【発明の開示】
【発明が解決しようとする課題】
【００１１】
しかしながら、上述に示したように、特許文献１に記載のような電源回路の場合、昇圧回路を必要とするため、電源回路全体のチップサイズが大きくなるという問題がある。また、昇圧回路を実現するためにコイルなどの素子を必要とするため、スイッチングノイズが大きくなるという問題がある。
【００１２】
一方、図８に示した電源回路から昇圧回路９０２を取り除いた場合、電源供給部９０１からの出力電圧の低下に伴って、各ＬＥＤ９０３、９０４を流れる電流値に差異が生じるという問題が発生する。以下にこれを説明する。
【００１３】
図１０は、ＭＯＳトランジスタＱ９１２およびＱ９１３の、ドレイン・ソース間電圧ＶDSと、ドレイン電流ＩDとの関係を示すグラフである。ＭＯＳトランジスタＱ９１２とＱ９１３は、ほぼ同一の特性を示すトランジスタで構成されるものとする。
【００１４】
ＭＯＳトランジスタのドレイン電流は、ゲート・ソース間電圧ＶGSが一定の下では、ＶDSが閾値より大きい範囲では一定値を示す特性を持つ。例えば、ＶGS＝Ｖgs1の場合、ＶDSがＶds1の値より大きい場合にはドレイン電流ＩD＝Ｉd1を示しており、Ｖds1の値より小さい範囲では、ドレイン電流はＩd1を維持できずＶGSの大きさが小さくなるほど電流値は減少する。
【００１５】
ところで、一般的にＬＥＤ素子は、同一値の電流が流れている状態の下でも、アノード・カソード間の順方向電圧ＶFが各素子によってばらつくことが多い。例えば、ＬＥＤ９０３およびＬＥＤ９０４に設定電流値２０ｍＡを流している場合に、ＬＥＤ９０３の順方向電圧ＶFが３．３Ｖで、ＬＥＤ９０４の順方向電圧ＶFが３．５Ｖであるという場合が起こりうる。この場合でも、両ＬＥＤ素子には同一値の電流が流れているため、電流値に応じた輝度で光を発生するＬＥＤの特性上、ＬＥＤ９０３とＬＥＤ９０４とからは同一の明るさの光が放射されることになる。
【００１６】
昇圧回路９０２を備えない場合、ＭＯＳトランジスタＱ９１２とＱ９１３のソース・ドレイン間電圧ＶDSは、電源電圧とＬＥＤの順方向電圧ＶFの差で表される。電源供給部９０１がリチウムイオン電池などで構成される場合、電源供給部９０１の出力電圧は利用とともに満充電状態から徐々に低下していく。
【００１７】
この構成の下で、ＬＥＤ９０３，ＬＥＤ９０４ともに電流値Ｉd2（図１０参照）が流れるように設定されていたとする。ＭＯＳトランジスタＱ９１２，Ｑ９１３のゲート・ソース間電圧ＶGSがＶgs2となるように、抵抗Ｒの値が設定される。満充電状態から徐々に電源電圧が低下すると、抵抗Ｒの値を変化させることでゲート・ソース間電圧ＶGSをＶgs2に維持する制御を行う。
【００１８】
ここで、ＬＥＤ９０３の順方向電圧ＶF903と比較してＬＥＤ９０４の順方向電圧ＶF904が大きい場合、電源電圧が低下してくるにつれて、各トランジスタＱ９１２とＱ９１３のドレイン・ソース間電圧ＶDSの値が減少する。そして、電源電圧が所定の値を下回った時点で、順方向電圧の大きいＬＥＤ９０４に接続されているトランジスタＱ９１３のドレイン・ソース間電圧Ｖds913が閾値電圧Ｖds2を下回る状況が発生する。一方、ＭＯＳトランジスタＱ９１２については、ＬＥＤ９０３の順方向電圧ＶF903がＶF904より小さいため、ドレイン・ソース間電圧Ｖds912は閾値電圧Ｖds2より大きい値を保っている。
【００１９】
そして、これより電源電圧が低下していくと、ＭＯＳトランジスタＱ９１２についてはドレイン電流を一定値に維持することができる飽和領域Ａ９２を満たすことができる一方、ＭＯＳトランジスタＱ９１３は、ドレイン・ソース間電圧Ｖdsが閾値電圧Ｖds2を下回っており、ドレイン電流を一定値に維持できない非飽和領域Ａ９１に位置することになる。すなわち、ＭＯＳトランジスタＱ９１２のドレイン電極に接続されているＬＥＤ９０３は、電流Ｉd2の値に応じた明るさの光を発する一方、ＭＯＳトランジスタＱ９１３のドレイン電極に接続されているＬＥＤ９０４は、流れる電流値がＩd2より小さくなり、これによってＬＥＤ９０３よりも輝度の小さい光を発することになる。
【００２０】
すなわち、ＬＥＤ９０３とＬＥＤ９０４とで発する光の明るさが異なるため、液晶画面においては、例えば右の画面が左の画面より明るいという状態（明るさむら）が発生してしまう。
【００２１】
そして、このような問題を回避すべく、上記の例ではＬＥＤ９０４に流れる電流値がＶds2を下回る前にＬＥＤをＯＦＦする制御が従来においてはされていたが、この方法では電源電圧の利用可能範囲が狭くなってしまう。
【００２２】
本発明は、上記の問題点に鑑みて、昇圧回路を設けることなく電源電圧の利用可能範囲を大きくしたＬＥＤ駆動用電源回路を提供することを目的とする。また、本発明は、このような電源回路を備える電子機器を提供することを別の目的とする。
【課題を解決するための手段】
【００２３】
上記目的を達成すべく、本発明の電源回路は、並列に接続された複数個のＬＥＤと、前記複数個のＬＥＤそれぞれに電圧を供給する電源供給部と、前記複数個のＬＥＤに与える電流を所定の電流値に制御する第１の電流制御部と、前記第１の電流制御部に対して前記複数個のＬＥＤに流す電流の値の設定を行う第１の電流設定部と、前記第１の電流設定部によって設定された電流値の電流を前記複数個のＬＥＤに対して流すことが可能か否かの判別を行う判別部と、を備え、前記判別部が、前記複数個のＬＥＤのうちの少なくとも一つのＬＥＤに対して前記第１の電流設定部によって設定された値の電流を流すことができないと判断を行うと、前記第１の電流設定部に対してその旨の信号を出力し、当該信号を受信した前記第１の電流設定部が、設定電流値を前記複数個のＬＥＤすべてに対して流すことのできる電流値に変更する指示を電流制御部に対して行うことを特徴とする。
【００２４】
このように構成されるとき、少なくとも一つのＬＥＤに対して設定された電流値を流すことができなくなった時点においてこのＬＥＤに対して流すことのできる電流値に変更することで、すべてのＬＥＤに対して同一値の電流を流す制御を行うことができるため、昇圧回路を備えずに輝度のばらつきを防止することができる。
【００２５】
なお、第１の電流設定部は、電源回路の内部に内蔵されているとしても構わないし、電源回路の外部に備えられているものとしても構わない。
【００２６】
また、例えば、前記複数個のＬＥＤと並列に接続されるとともに、前記第１の電流制御部によって流れる電流が制御されない少なくとも一つ以上のＬＥＤで構成されるサブＬＥＤと、前記サブＬＥＤに与える電流を所定の電流値に制御する第２の電流制御部と、前記第２の電流制御部に対して前記サブＬＥＤに流す電流の値を設定する第２の電流設定部と、を備え、前記サブＬＥＤが、前記判別部における前記複数個のＬＥＤに対して前記第１の電流設定部によって設定された電流値の電流を流すことが可能か否かの判別結果にかかわらず、前記第２の電流制御部によってに対して前記第２の電流設定部で設定された電流値の電流が与えられる制御が行われる構成としても構わない。
【００２７】
このように構成されることで、一様な輝度を要求される箇所に備えられるＬＥＤ（例えば液晶バックライト用ＬＥＤ）と、輝度のばらつきよりも輝度そのものの大きさが重視される箇所に備えられるＬＥＤ（例えばサブ液晶用ＬＥＤ、あるいはフラッシュライト用ＬＥＤ）とで異なる制御を行うことができるため、制御の自由度が向上する。
【００２８】
また、例えば、前記判別部が、前記複数個のＬＥＤに流れる電流値と前記第１の電流設定部で設定されている電流値との比較を行い、少なくとも一つのＬＥＤに流れる電流値が前記第１の電流設定部で設定されている電流値を下回った時点で、設定された電流値の電流を前記複数個のＬＥＤに対して流すことができないと判断する構成としても構わない。
【００２９】
また、例えば、前記第１の電流制御部によって制御される前記複数個のＬＥＤに対して流す電流の値の制御可能範囲が、前記電源供給部からの出力電圧値に応じて決定され、前記判別部が、前記電源供給部の出力電圧値を確認し、前記第１の電流設定部で設定された電流値が前記第１の電流制御部の制御可能範囲内に属しているか否かの判別を行うことで、前記第１の電流設定部によって設定された電流値の電流を前記複数個のＬＥＤに対して流すことが可能か否かの判別を行う構成としても構わない。
【００３０】
このように構成されることで、ＬＥＤに流れる電流を実際に測定する必要がないため、電流測定用の抵抗を備える必要がなく、電力損失を低減することができる。また、出力電圧の低下速度が予め分かっている場合には、電源回路の駆動時間を確認することで、第１の電流設定部で設定された電流値が制御可能範囲内に属しているか否かを判断するものとしてもよい。
【００３１】
また、例えば、前記第１の電流制御部が、各列ごとに、並列接続に構成される前記複数個のＬＥＤの一端に第１電極が接続されるトランジスタを含むカレントミラー回路で構成されており、前記判別部が、各トランジスタの第１電極と第２電極との間の電圧と、当該トランジスタに接続されているＬＥＤに対して制御可能な最大電流値との関係を記憶しており、前記第１の電流設定部より電流値が与えられると、トランジスタの第１電極と第２電極との間の電圧を測定するとともに、当該電圧に応じた制御可能な最大電流値を上回っているか否かを各列のトランジスタに関して確認することで、前記複数個のＬＥＤに対して流すことが可能か否かの判別を行う構成としても構わない。
【００３２】
このように構成されることで、指定された電流値の電流をＬＥＤに流す制御を簡単な回路によって実現することができる。
【００３３】
このとき、判別部が、各トランジスタの第１電極と第２電極との間の電圧と、当該トランジスタに接続されているＬＥＤに対して制御可能な最大電流値との関係を電子回路によってアナログ的に記憶しているものとしても構わないし、メモリなどを備えることでデジタル的に記憶しているものとしても構わない。
【００３４】
なお、このとき用いられるトランジスタは、バイポーラトランジスタでもＭＯＳトランジスタでも構わない。ＭＯＳトランジスタを利用する場合、ＭＯＳトランジスタのドレイン・ソース間電圧とドレイン電流の関係が記憶されているものとして良い。
【００３５】
また、例えば、前記判別部が、前記各トランジスタの第１電極と第２電極との間の電圧と、当該トランジスタに接続されているＬＥＤに対して制御可能な最大電流値との関係を記憶しており、前記第１の電流設定部より電流値が与えられると、トランジスタの第１電極と第２電極との間の電圧を測定するとともに、当該電圧に応じた制御可能な最大電流値を上回った時点で、前記第１の電流設定部に対して設定電流値の変更指示を行う構成としても構わない。
【００３６】
また、例えば、前記判別部が、各トランジスタの第１電極と第２電極との間の電圧と、当該トランジスタに接続されているＬＥＤに対して制御可能な最大電流値との関係を記憶しており、前記第１の電流設定部より電流値が与えられると、各トランジスタの第１電極と第２電極との間の電圧を測定するとともに、当該測定された電圧に応じた制御可能な最大電流値から所定の値を減じて得られる最大電流近傍値を上回った時点で、前記第１の電流設定部に対して設定電流値の変更指示を行う構成としても構わない。
【００３７】
また、例えば、前記第１の電流制御部が、各列ごとに、並列接続に構成される前記複数個のＬＥＤの一端に第１電極が接続されるトランジスタを含むカレントミラー回路で構成されており、前記判別部が、前記電源供給部の出力電圧と、当該トランジスタに接続されているＬＥＤに対して制御可能な最大電流値との関係を記憶しており、前記第１の電流設定部より電流値が与えられると、前記電源供給部の出力電圧を測定するとともに、当該電圧に応じた制御可能な最大電流値を上回っているか否かを各列のトランジスタに関して確認することで、前記複数個のＬＥＤに対して流すことが可能か否かの判別を行う構成としても構わない。
【００３８】
また、例えば、前記判別部が、前記電源供給部の出力電圧と、当該トランジスタに接続されているＬＥＤに対して制御可能な最大電流値との関係を記憶しており、前記第１の電流設定部より電流値が与えられると、前記電源供給部の出力電圧を測定するとともに、当該電圧に応じた制御可能な最大電流値を上回った時点で、前記第１の電流設定部に対して設定電流値の変更指示を行う構成としても構わない。
【００３９】
また、例えば、前記判別部が、前記電源供給部の出力電圧と、当該トランジスタに接続されているＬＥＤに対して制御可能な最大電流値との関係を記憶しており、前記第１の電流設定部より電流値が与えられると、前記電源供給部の出力電圧を測定するとともに、当該測定された電圧に応じた制御可能な最大電流値から所定の値を減じて得られる最大電流近傍値を上回った時点で、前記第１の電流設定部に対して設定電流値の変更指示を行う構成としても構わない。
【００４０】
また、例えば、前記判別部が、少なくとも一つのＬＥＤに対して前記第１の電流設定部によって設定された値の電流を流すことができないと判断すると、設定された値の電流を流すことができないと判断されたＬＥＤの制御可能な最大電流値に設定電流値を変更する指示を前記第１の電流設定部に与える構成としても構わない。
【００４１】
また、例えば、前記判別部が、少なくとも一つのＬＥＤに対して前記第１の電流設定部によって設定された値の電流を流すことができないと判断すると、現在の設定電流値に所定の値を乗じた新たな設定電流値を前記電流制御部に与える構成としても構わない。
【００４２】
このように構成されることで、電流値の再設定を行う上での制御内容が簡素化される。なお、再設定を行う際に乗じる所定の値を、例えば１／２や１／３といった簡易な分数としても構わない。また、電流値に応じて、この乗じる所定値を変化させるものとしても構わない。
【００４３】
また、例えば、前記複数個のＬＥＤを複数のグループに分けるとともに、同一グループに属するＬＥＤに対しては同一電流を流すとともに、異なるグループ間では所定の電流比を維持するように第１の電流制御部が制御を行う構成としても構わない。
【００４４】
このように、各ＬＥＤに流れる電流比を一定に保つことで、例えばＲＧＢの３色ＬＥＤのように色調維持のために電流比を一定に保つ必要があるような用途に利用することができる。３色ＬＥＤはピクチャーライトと呼ばれるカメラ付携帯電話の補助光源やイルミネーション光源、液晶テレビのバックライト用などに用いられており、これらに対して適用することができる。
【００４５】
なお、電流比率を一定に維持する方法として、カレントミラーを用いる場合においては、各トランジスタに接続される抵抗の大きさを変化させることで、各ＬＥＤに流す電流値を変化させるものとしても構わない。
【００４６】
また、本発明の電子機器は、一つ以上のＬＥＤを備える電子機器であって、前記ＬＥＤを駆動するための駆動用電源回路として上記の電源回路を備えることを特徴とする。
【発明の効果】
【００４７】
本発明の構成によれば、、少なくとも一つのＬＥＤに対して指定された電流値の電流を流すことができないと判断された時点で、設定電流が自動的に変更されて、いずれのＬＥＤに対しても同一値の電流が流れ、これによってＬＥＤ間での輝度差が生じることがない。すなわち、電源電圧が低下してきた場合においても、昇圧回路を設けることなく各ＬＥＤを同一輝度で発光させることが可能である。
【発明を実施するための最良の形態】
【００４８】
＜第１の実施形態＞
本発明の第１の実施形態について、図面を参照して説明する。図１は、本発明の電源回路を備える液晶ディスプレイの一部構成を示したものである。
【００４９】
図１に示す液晶ディスプレイ１は、直流電圧を供給する電源供給部２と、電流が流れると流れる電流量に応じた強度で所定色の光を発するＬＥＤ３、ＬＥＤ４と、ＬＥＤ３およびＬＥＤ４それぞれのアノード・カソード間に流れる電流の電流値を制御する電流制御部５と、ＬＥＤ３およびＬＥＤ４に流れる電流の電流値を設定して電流制御部５に指示を与える電流設定部６と、電流設定部６で設定される電流値をＬＥＤ３、ＬＥＤ４に流すことができるかどうかを判別するとともにこの判別結果を電流設定部６に出力する判別部７と、で構成される。
【００５０】
そして、この電流制御部５および判別部７によって電源回路１０が構成される。これらの動作内容については後述する。
【００５１】
なお、図１ではＬＥＤを２個として表記しているが、この数は２に限られるものではなく並列に接続された３個以上の複数個としても同様である。
【００５２】
図１において、ＬＥＤ３およびＬＥＤ４それぞれのアノード・カソード間に流れる電流量は、電流設定部６で予め設定された電流値となるように電流制御部５によって制御される。
【００５３】
電流制御部５は、電流値を変更できる定電流源と、定電流源から出力される電流値に依存して流れる電流値が指定されるトランジスタとで構成されるとしてもよい。このとき、第１のトランジスタがＬＥＤ３のカソードに接続され、第２のトランジスタがＬＥＤ４のカソードに接続される。なお、各ＬＥＤに指定された電流量の電流を流すことのできる機構を備えていればよく、このような構成に限られるものではない。
【００５４】
図２は、上記電流制御部５を詳細に示した一例である。ＭＯＳトランジスタＱ１１のドレイン電極には抵抗Ｒ１１を介して直流電圧Ｖccが印加されており、ドレイン電極とゲート電極とが接続されており、ソース電極は接地されている。なお、この直流電圧Ｖccが電源供給部２から出力される直流電圧であるとしてよい。
【００５５】
また、ＭＯＳトランジスタＱ１２のドレイン電極は、ＬＥＤ３のカソードに接続され、ゲート電極がＭＯＳトランジスタＱ１１のゲート電極と接続され、ソース電極が接地されている。
【００５６】
同様に、ＭＯＳトランジスタＱ１３のドレイン電極は、ＬＥＤ４のカソードに接続され、ゲート電極がＭＯＳトランジスタＱ１１、Ｑ１２のゲート電極と接続され、ソース電極が接地されている。
【００５７】
なお、ＭＯＳトランジスタＱ１２とＭＯＳトランジスタＱ１３とは、ほぼ同一の特性を示すトランジスタで構成されるものとする。このＭＯＳトランジスタＱ１２およびＱ１３のドレイン・ソース間電圧ＶDSと、ドレイン電流ＩDとの関係を示すグラフを図３に示す。
【００５８】
ＭＯＳトランジスタのドレイン電流は、ゲート・ソース間電圧ＶGSが一定の下では、ＶDSが閾値より大きい範囲では一定値を示す特性を持つ。例えば、ＶGS＝Ｖgs1の場合、ＶDSがＶds1の値より大きい場合にはドレイン電流ＩD＝Ｉd1を示しており、Ｖds1の値より小さい範囲では、ドレイン電流はＩd1を維持できずＶGSの大きさが小さくなるほど電流値は減少する。
【００５９】
したがって、ＶGS＝Ｖgs1の状態の下で、電流設定部６によって電流制御部５に対して電流Ｉd1を流す指示が与えられた場合、ＬＥＤ３、ＬＥＤ４のいずれかのドレイン・ソース間電圧ＶDSがＶds1を下回っている場合は、ＶDSがＶds1を下回っている側のＬＥＤに対しては電流Ｉd1を流すことができない。
【００６０】
判別部７は、各ＭＯＳトランジスタのゲート・ソース間電圧ＶGS、ドレイン・ソース間電圧ＶDS、及び各ＬＥＤのアノード電極に印加される直流電圧値を測定する電圧測定部と、各ＭＯＳトランジスタの特性（ＶDS−ＩD特性）および各ＬＥＤの順方向電圧特性が予め測定されて記憶されているメモリと、電圧測定部で測定された電圧値と保存されているメモリとから、電流設定部６によって指定された電流値を各ＬＥＤに流すことができるかどうかの判別を行う。そしてこの判別結果を電流設定部６に出力する。なお、判別部７に電源電圧ＶCCの値が逐次与えられる構成であるものとしてもよい。
【００６１】
このとき、判別部７は、電流設定部６によって予め指定されている電流値を流すことができる場合には当該電流値を電流設定部６に出力する一方、少なくとも一つのＬＥＤに対して流すことができない電流値であった場合には、メモリに記憶されているＭＯＳトランジスタの特性に基づいてすべてのＬＥＤに対して流すことのできる電流値を算出し、この電流値を電流設定部６に対して出力する。なお、この算出方法については別途後述する。
【００６２】
このように構成されることで、ＬＥＤ３とＬＥＤ４の順方向電圧の違いからトランジスタＱ１２とＱ１３のドレイン・ソース間電圧ＶDSに相違が発生し、電源電圧ＶCCの低下に伴って飽和領域を維持できなくなった場合に、すべてのＬＥＤに同一値の電流を流すことのできる値に自動的に変更され、これによってＬＥＤ間に明るさムラが生じるということが回避される。
【００６３】
以下に、判別部７によって電流値が再設定される流れについて、図３のトランジスタ特性を参照しながら説明を行う。
【００６４】
電流設定部６によって、予めＬＥＤ３及びＬＥＤ４には電流値Ｉd3の電流を流す設定がされているものとする。なお、電流設定部６が利用者によって操作できる構成であり、利用者が操作することで液晶ディスプレイ１の表示輝度の調整が行えるものとしても構わない。
【００６５】
また、ＬＥＤ３とＬＥＤ４とは、一定電流が流れている場合においてもアノード・カソード間順方向電圧ＶFに相違が生じるものとする。たとえば、ＬＥＤ３とＬＥＤ４に対して電流Ｉd3を流した場合、ＬＥＤ３の順方向電圧ＶF3＝Ｖf33、ＬＥＤ４の順方向電圧ＶF4＝Ｖf43であって、Ｖf33＜Ｖf43であるとする。
【００６６】
電流設定部６は、電流値Ｉｄ３の電流を各ＬＥＤに流す指示を判別部７に与える。判別部７は、図２に示すトランジスタＱ１２、Ｑ１３のＶGS、ＶDSおよびトランジスタ特性より、電流値Ｉd3をＬＥＤに流すことができるかどうかの判定を行う。
【００６７】
電流値Ｉd3を流す指示が与えられると、電流設定部６はメモリより各トランジスタの特性を参照し、一定電流Ｉd3がドレイン電流となるＶGSを導く。また、同時にメモリよりＬＥＤの順方向電圧特性を参照し、電流値Ｉd3の下での順方向電圧ＶFを読み出すとともに、各ＬＥＤのアノード電極に印加される直流電圧（もしくは電源電圧ＶCC）と各ＬＥＤのＶFとから、各トランジスタのＶDSを算出する。
【００６８】
このとき、算出されたＶDSが、いずれのトランジスタについても閾値を上回る値であれば、指定された電流を流すことができるため、流すことが可能である旨の信号を判別部７が電流設定部６に返すとともに、電流設定部６は、この信号を受けて電流制御部５に対して実際に電流値Ｉd3を各ＬＥＤに流す指示を与える。電流制御部５は、電流値Ｉｄ３を各ＬＥＤに流すべくＶGS＝Ｖgs3を満足する抵抗Ｒ１１の値を決定する。
【００６９】
一方、算出されたＶDSが少なくとも一つのトランジスタの閾値を下回る場合、該当するトランジスタが接続されているＬＥＤに対しては指定された電流を流すことができない。このとき、指定された電流を流すことができない旨の信号を判別部７が電流設定部６に返すとともに、電流設定部６によって指定電流の再設定が行われる。なお、電流設定部６が外部ＣＰＵからのＰＷＭ信号のデューティ比や照度センサの出力信号などの設定手段に応じて電流値の調整を行う構成であるとしてもよい。
【００７０】
例えば、Ｑ１２のＶDSがＶds12＝Ｖdsbであって、Ｑ１３のＶDSがＶds13＝Ｖdsaである場合、トランジスタＱ１２についてはＶGS＝Ｖgs3とすることでドレイン電流Ｉd＝Ｉd3を満足することができるが、Ｑ１３については、すでに非飽和領域に位置しているためＶGS＝Ｖgs3としてもドレイン電流ＩdがＩd3を維持することができない。
【００７１】
このような場合に、判別部７は設定電流値をＩd3からＩd2に変更を行う指示を電流設定部６に与える。このＩd2の値は、ＬＥＤの逆方向電圧とＬＥＤのアノード電極印加電圧とより、一定電流を流すことのできる値を判別部７が算出して得られる値である。
【００７２】
たとえば、電流Ｉd2とすることによって、トランジスタＱ１２のＶDSがＶds12＝Ｖdsb'、Ｑ１３のＶDSがＶds13＝Ｖdsa'となることが分かっており、この場合ＶGS＝Ｖgs2を満足するように抵抗Ｒを調整すれば、いずれのＬＥＤに対してもＩd2を流すことが可能である。電流設定部６は、設定電流をＩd2とするように電流制御部５に指示を与え、電流制御部５は電流設定部ＩD2を各ＬＥＤに流すべく抵抗Ｒ１１の値を変更する。
【００７３】
このような判別処理を所定のタイミングで逐次行うことで、少なくとも一つのトランジスタが非飽和領域に到達した時点で、設定電流が自動的に変更されて、いずれのＬＥＤに対しても同一値の電流が流れ、これによってＬＥＤ間での輝度差が生じることがない。すなわち、電源電圧が低下してきた場合においても、昇圧回路を設けることなく各ＬＥＤを同一輝度で発光させることが可能である。
【００７４】
なお、上述において、電源供給部２は、利用を続けるのに応じて出力電圧が低下するリチウムイオン電池などのバッテリーを想定しているが、これに限られず、電圧の変動する電源一般に適用して構わない。
【００７５】
上述では、判別部７がＶGS，ＶDSおよびＬＥＤに印加される直流電圧を測定するとともに、ＭＯＳトランジスタの特性とＬＥＤの順方向特性とより、指定された電流を流すことができるかどうかを判別していたが、各ＬＥＤの順方向特性とＬＥＤに接続されているＭＯＳトランジスタの特性とより各ＬＥＤに対して流すことができる閾値電流（制御可能な電流値）とＬＥＤアノード電極印加電圧との関係とが予め算出されてメモリに記憶されており、このデータに基づいて電流値の変更を行う構成としても構わない。なお、以下において、ＬＥＤに対して流すことのできる制御可能な電流値のことを電流制御能力と称する。
【００７６】
図４は、ＬＥＤアノード電極印加電圧とＬＥＤ３およびＬＥＤ４の電流制御能力との関係を示すグラフである。例えば、アノード電極に電圧Ｖaが印加されている場合、ＬＥＤ３においては電流Ｉa3までの大きさの電流であれば流すことが可能であり、ＬＥＤ４においては電流Ｉa4までの大きさの電流であれば流すことが可能であるということを表している。
【００７７】
図４のような特性を示す状態の下で、設定電流値がＩb1である場合、アノード電極印加電圧がＶb以上の範囲であればＬＥＤ３及びＬＥＤ４に対して電流Ｉb1を流すことが可能である一方、Ｖb以下であればＬＥＤ４に対しては電流Ｉb1を流すことができない。
【００７８】
このような場合に、設定電流値Ｉb1で液晶ディスプレイ１を駆動しておきながら、ＬＥＤ４のアノード電極印加電圧がＶbを下回ったことを判別部７が確認した時点で、判別部７は電流設定部６に対して設定電流をＩb1より少ないＩb2に変更する。
【００７９】
設定電流値Ｉb2である場合、アノード電圧印加電圧がＶb以下であっても、所定の電圧以上の範囲内であればＬＥＤ４に対して当該電流値Ｉb2を流すことが可能であるため、ＬＥＤ３およびＬＥＤ４の両方のＬＥＤに対して同一値の電流を流すことができる。これによってＬＥＤ間に輝度差が生じるという問題が回避できる。
【００８０】
なお、再設定される電流値は、予め所定の間隔ごとに定められた値を用いるものとしても構わない。この場合、再設定された電流値を維持できる最大のアノード電極印加電圧を下回った時点で、判別部７が電流設定部６に対して次の設定電流値に設定変更指示を行うものとしても構わないし、設定された電流値を維持できる最大のアノード電極印加電圧を下回る前に設定変更指示を行うものとしても構わない。
【００８１】
なお、上述では、ＬＥＤアノード電極印加電圧が所定の値を下回った時点で設定電流値の変更指示を行うものとしたが、電源供給部２の出力電圧が所定の値を下回った時点で設定電流値の変更指示を行う構成としても構わない。さらにこのとき、電源供給部２の電圧低下速度（利用時間と出力電圧との関係）が予め把握できている場合においては、起動後所定時間経過した時点で判別部７が電流設定部６に対して設定電流値の変更指示を行う構成としても構わない。
【００８２】
また、各ＬＥＤに流れる電流を検知するための抵抗が接続されており、判定部７がこの抵抗に流れる電流の電流値を測定することで、電流設定部６で設定されている電流値を下回った時点で電流設定部６に対して再設定指示を行う構成としても構わない。
【００８３】
また、再設定される電流値を、現時点で設定されている電流値に応じた値（例えば設定値の１／４倍した電流値）とするデジタル的設定を行うものとしても構わない。このようにすることで、予め高精度に設定できるため設計の自由度が向上する。さらに全体的にディスプレイ１の輝度が低下するため、利用者に対して電源供給部２の電圧が低下していることを視覚的に通知することができるという効果がある。
【００８４】
また、図４のような特性が予め分かっている場合には、同一電圧がアノード電極に印加される状態の下で電流制御能力が最も小さいＬＥＤの特性に応じて再設定電流値を電流設定部６に指示するアナログ的設定を行うものとしても構わない。
【００８５】
図５は、上記アナログ的設定を行う場合の設定電流値とアノード電極印加電圧との関係を示すグラフである。アノード電極印加電圧に応じてＬＥＤ４の電流制御能力ぎりぎりの電流値に設定することで、ＬＥＤ３およびＬＥＤ４いずれにも同一値の電流を流すことができる。たとえば、図５に示すように、初期の設定電流値がＩa4である場合、アノード電極印加電圧がＶ2a以上の範囲においては設定電流値はＩa4を保ち、アノード電極印加電圧がＶ2aを下回ると、電流設定部６がＬＥＤ４の電流制御能力ぎりぎりの電流値に設定する指示を電流制御部５に与える。
【００８６】
このように制御することで、電源供給部２の出力電圧が低下しても急激にＬＥＤの輝度を落とすことなく、連続的に低下させていくことができ、ディスプレイ１の明るさが急激に低下するということがない。携帯機器の液晶バックライト用に用いられる白色ＬＥＤは、電源供給部２の出力電圧によらずＬＥＤ電流を一定に保つことが理想的であるため、この制御方法が有効である。
【００８７】
なお、上述では電流設定部６が電源回路１０の外部に備えられている構成としたが、電源回路１０の内部構成としても構わない。このようにすることで、外部信号のプログラムが不要になるとともに信号出力のポートを確保する必要がなくなるため、周辺回路設計の簡素化が図れる。
【００８８】
また、ＬＥＤ３、ＬＥＤ４は、上述では同一値の電流が流される制御が行われるとしたが、同一値ではなく、例えば同一比率の電流が流される制御が行われるとしても良い。
【００８９】
図６は、同一比率の電流が流される制御が行われる電流制御部５の一例である。トランジスタＱ１１のソース電極に抵抗Ｒ１１ａを設け、トランジスタＱ１２、Ｑ１３のソース電極に接続されている可変抵抗Ｒ１２、Ｒ１３の大きさを変化させることで、ＬＥＤ３、ＬＥＤ４の電流値を変化させることができる構成である。
【００９０】
すなわち、Ｒ１２およびＲ１３をＲ１１ａの大きさと比較して予め定められた比率の抵抗値にしておくことで、ＬＥＤ３及びＬＥＤ４に流れる電流値を予め定められた比率を維持した状態で制御することができる。
【００９１】
このように各ＬＥＤに流れる電流比を一定に保つことで、例えばＲＧＢの３色ＬＥＤのように色調維持のために電流比を一定に保つ必要があるような用途に利用することができる。３色ＬＥＤはピクチャーライトと呼ばれるカメラ付携帯電話の補助光源やイルミネーション光源、液晶テレビのバックライト用などに用いられており、これらに対して適用することができる。
【００９２】
なお、上述ではＲ１２、Ｒ１３の値を調整して電流比率を変化させるものとしたが、これに限られず、電流比率が一定の電流を各ＬＥＤに流す構成を持つ電源回路であれば、どのような構成であっても構わない。
【００９３】
また、電流制御部５は、図２に示される構成に限られず、指定された電流値の電流を各ＬＥＤに対して流すことのできる構成であれば、どのような構成であっても構わない。
【００９４】
なお、上述において、特性を記憶する手段としてメモリと記載したが、この記憶手段はメモリに限られるものではなく、他の記憶手段（例えば電子回路でアナログ的に実現するなど）を用いるものとしても構わない。
【００９５】
また上述では、判別部７が、トランジスタおよびＬＥＤの特性を記憶しておくとともに、この特性より基準となる電流の閾値あるいは電圧の閾値を算出する構成としたが、トランジスタおよびＬＥＤの特性より基準となる電流の閾値あるいは電圧の閾値を予め算出しておいて、この基準値を出力する基準出力部を判別部が備える構成としても構わない。この基準出力部は、アナログ電子回路で構成しても構わないし、デジタル的に構成しても構わない。
【００９６】
このとき、判別部７は、基準出力部から出力される電流の閾値と、電流設定部６で設定された電流値を比較することで、上述と同様の判別を行う構成とすることができる。また、同様に電圧値を比較する場合においても、基準出力部から出力される電圧の閾値と、トランジスタのドレイン・ソース間電圧あるいは電源供給部２の出力電圧とを比較して上述と同様の判別を行う構成とすることができる。
【００９７】
＜第２の実施形態＞
本発明の第２の実施形態について、図面を参照して説明する。なお第１の実施形態と同一の部分については同一の符号を付して、その詳細な説明を省略する。
【００９８】
図７は、本実施形態の電源回路を備える液晶ディスプレイの一部構成を示したものである。本実施形態は、第１の実施形態と比較して、電流設定部６とは異なる電流設定部１１と、電流設定部１１によって設定された電流を流す制御を行う電流制御部１２と、この電流制御部１２によって制御される電流値が流されるＬＥＤ１３とを更に備えることを特徴とするものである。なお、図７は、電流設定部６と電流設定部１１が電源回路１０内部に備えられる構成としているが、これは電源回路１０外部に備えられるものとしても構わない。
【００９９】
なお電流制御部１２は、電流制御部５とは異なり、判別部７の判別結果によらず電流設定部１１で設定された電流値をＬＥＤ１３に流す制御を行う。
【０１００】
第１の実施形態で説明したように、判別部７は、電流設定部６によってＬＥＤ３およびＬＥＤ４に対して予め指定されている電流値を流すことができる場合には当該電流値を電流設定部６に出力する一方、これらのＬＥＤのうちの少なくとも一つのＬＥＤに対して流すことができない電流値であった場合には、メモリに記憶されているＭＯＳトランジスタの特性に基づいてすべてのＬＥＤに対して流すことのできる電流値を算出し、この電流値を電流設定部６に対して出力する。そして、この算出された電流値の電流がＬＥＤ３、およびＬＥＤ４に与えられる。
【０１０１】
一方で、ＬＥＤ１３に対しては、電流設定部１２で指定された電流値を流し続けられる構成である。すなわち、このように構成されることで、ＬＥＤ１３は、輝度のばらつきよりも輝度の大きさを重視する箇所に用いられるＬＥＤとして利用することで、ＬＥＤ３、ＬＥＤ４と異なった制御をさせることができ、制御の自由度が向上する。例えば、ＬＥＤ３、ＬＥＤ４は一様な輝度が求められる液晶バックライト用ＬＥＤに適用し、一方でＬＥＤ１３は、ばらつきよりも輝度そのものの大きさを重視するサブ液晶用ＬＥＤ、あるいはフラッシュライト用ＬＥＤとして適用することができる。
【０１０２】
なお、本実施形態の電源回路は、前述の第１の実施形態の構成と組み合わせて実現されるものとしても構わない。例えば、電流制御部５がＬＥＤ３とＬＥＤ４とを同一比率の電流値に制御する構成としてもよい。
【０１０３】
本発明は、昇圧回路を設けることなく電源電圧の利用可能範囲を大きくしたＬＥＤ駆動用電源回路を提供することを目的とするものであるが、昇圧回路がすでに備えられている電源回路に適用することで、電源効率を向上させる効果を得ることもできる。
【０１０４】
また、昇圧回路のかわりに降圧回路を設けることで、電源電圧が高い場合には、従来はすべて電流制御部５で損失させていた電力を降圧スイッチングレギュレータや降圧チャージポンプを使用して高効率で降圧させることが可能なため、電源回路の効率を向上させることができる。なお、昇降圧回路を設けることで、より広範囲の電源電圧が利用可能となり、電源効率を向上させることができる。
【産業上の利用可能性】
【０１０５】
本発明の電源回路は、白色ＬＥＤをバックライト用光源とするカラー液晶画面を搭載し、Ｌｉイオン電池などのバッテリーを電源として動作する携帯電話、デジタルカメラ、携帯型ゲーム機、携帯オーディオプレイヤー、ＰＤＡ（Personal Digital Assistant）などに備えられるＬＥＤ駆動用電源回路として好適に利用され得る。
【図面の簡単な説明】
【０１０６】
【図１】は、本発明の電源回路を備える液晶ディスプレイの一部構成を示したものである。
【図２】は、図１における電流制御部５を詳細に示した一例である。
【図３】は、図２におけるＭＯＳトランジスタのドレイン・ソース間電圧ＶDSと、ドレイン電流ＩDとの関係を示すグラフである。
【図４】は、図２におけるＬＥＤアノード電極印加電圧とＬＥＤ３およびＬＥＤ４の電流制御能力との関係を示すグラフである。
【図５】は、アナログ的設定を行う場合の設定電流値とアノード電極印加電圧との関係を示すグラフである。
【図６】は、同一比率の電流が流される制御が行われる電流制御部５の一例である。
【図７】は、本発明の電源回路を備える液晶ディスプレイの別の一部構成を示したものである。
【図８】は、従来技術を用いた電源回路を備える液晶ディスプレイの一部構成を示したものである。
【図９】は、図８における電流制御部９０５を詳細に示した一例である。
【図１０】は、図９におけるＭＯＳトランジスタの、ドレイン・ソース間電圧ＶDSと、ドレイン電流ＩDとの関係を示すグラフである。
【符号の説明】
【０１０７】
１    液晶ディスプレイ
２    電源供給部
３、４、１３    ＬＥＤ
５、１１    電流制御部
６、１２    電流設定部
７    判別部
１０    電源回路
【図１】
2007059205.tif 000003
【図２】
2007059205.tif 000004
【図３】
2007059205.tif 000005
【図４】
2007059205.tif 000006
【図５】
2007059205.tif 000007
【図６】
2007059205.tif 000008
【図７】
2007059205.tif 000009
【図８】
2007059205.tif 000010
【図９】
2007059205.tif 000011
【図１０】
2007059205.tif 000012